(57)【要約】【課題】トレーをロード位置に維持するロック装置の掛止め・解除手段に自己吸着型ソレノイドを用いたものにおいて、トレーのロード位置を安定に維持し、また、掛止め・解除手段の作動をスムーズにする。【解決手段】自己吸着型ソレノイドはアーマチュア駆動レバー１６によってアーマチュア３７を押し引き操作されるものとし、アーマチュア駆動レバー１６は弾性体を介してアーマチュア３７を永久磁石３６へ近づく方向に押圧する（押し込み駆動）。弾性体はリーフばね３４とすることがある。【選択図】          図６
2004185762.tif 000002
【特許請求の範囲】
【請求項１】
本体ケースと、この本体ケースに対しロード位置とアンロード位置との間で移動自在としたディスクトレーと、このディスクトレーを前記ロード位置にロックし前記ロックを解除することによりアンロード位置に移動可能とさせるロック装置とを有するディスク駆動装置において、
前記ロック装置は、永久磁石と、この永久磁石の磁力をキャンセルする方向の磁極を発生させるソレノイドと、前記永久磁石に吸引されるアーマチュアと、このアーマチュアと係合するアーマチュア駆動レバーと、このアーマチュア駆動レバーを介して、アーマチュアを前記永久磁石から離す方向に付勢するためのばねとを有し、
前記アーマチュア駆動レバーは、弾性部材を介して前記アーマチュアを前記永久磁石に近づく方向へ押圧することを特徴とするディスク駆動装置。
【請求項２】
前記弾性部材は、リーフばねであることを特徴とする請求項１に記載のディスク駆動装置。
【請求項３】
前記アーマチュアと前記アーマチュア駆動レバーとは、前記アーマチュアが磁力により固定された時に、アーマチュア駆動レバーがアーマチュアに対して永久磁石の吸引方向に所定量移動可能な状態で係合していることを特徴とする請求項１または請求項２に記載のディスク駆動装置。
【請求項４】
前記アーマチュア駆動レバ−の前記アーマチュアに対する力の作用点を、前記永久磁石による吸着面と平行な前記アーマチュア断面の中央に集中させたことを特徴とする請求項１〜３のいずれか１つに記載のディスク駆動装置。
【発明の詳細な説明】
【０００１】
【発明の属する技術分野】
この発明は、ＣＤ，ＤＶＤなどディスクを記録媒体として利用する記録再生装置におけるディスク駆動装置に関する。
【０００２】
【従来の技術】
ディスク駆動装置には、本体ケースにディスクトレー（以下、トレー）を出入りさせるタイプのものがある。このタイプでは、トレーを本体ケースへ押し込んだ状態がロード位置、引き出した状態がアンロード位置であり、ディスクをセットしたトレーをロード位置に移動してデータの読み出しあるいは書き込みを行い、また、アンロード位置でディスクの交換などを行う。
ノートパソコンなどのディスク駆動装置では、通常、トレーと本体ケースとの間に掛け止めによるロック機構が設けられていて、本体ケースに押し込まれたトレーを掛け止めてロード位置に維持し、また、掛け止めを解除してトレーを本体ケースから引き出せるようになっている。
【０００３】
ロック機構の掛止め・解除手段としてさまざまなものが提案されているが、特開平１１−３３９３５４号公報や特開２００１−３４４８６３号公報のディスク装置では、自己吸着型ソレノイドを掛止め・解除手段としている。自己吸着型ソレノイドは、永久磁石とソレノイド及びアーマチュアを備え、アーマチュアは磁力によって永久磁石に吸着され固定状態となる。固定状態にあるアーマチュアを解放するには、ソレノイドに通電して永久磁石とは逆の磁極を発生させ、永久磁石の磁力をキャンセルする。アーマチュアは常時引出し方向に付勢されており、固定状態が解除されると引き出し方向に突出する。
ロック機構の掛止め・解除手段として自己吸着型ソレノイドを利用することは、ロック状態の解除を通電により行えるので、利用者による外部からの解除操作を掛止め・解除手段に伝えやすく、外部からの操作を掛止め・解除手段へ伝えるためにレバーやリンクなどの複雑な構造を要しない利点がある。
【特許文献１】
特開平１１−３３９３５４号公報
【特許文献２】
特開２００１−３４４８６３号公報
【０００４】
【発明が解決しようとする課題】
一方、自己吸着型ソレノイドを利用するロック機構の掛止め・解除手段は、トレーを本体ケースへ引き止める掛け止めピンとロックレバー（イジェクトレバー）を掛止めたり、解放するために、アーマチュアからロックレバーまでアーマチュア駆動レバーやセットレバーが連係して組み込まれ、アーマチュア駆動レバーとアーマチュアとは、アーマチュアの係合孔に係合突起を係合して連係させている。
【０００５】
また、自己吸着型ソレノイドでは、アーマチュアを押し込む際に、アーマチュア駆動レバーをオーバーストロークとし、アーマチュアの押し込みに不足がないようにして永久磁石によるアーマチュアの吸着固定を確実なものにするのであるが、実際にはアーマチュアは移動しないので、前記のセットレバー、アーマチュア駆動レバ−及びアーマチュアに至る間でオーバーストロークに相当するレバーの変位を吸収する必要がある。
このため特許文献１のディスク装置では、イジェクトレバー１６に樹脂バネ部１６ｃを設け、これに当接するリセットレバー１５のオーバーストローク分を吸収している（図９）。
【０００６】
しかし、イジェクトレバー１６がリセットレバ−１５により駆動されて解除バネ２１の付勢力に抗して回転するためには、イジェクトレバ−１６とリセットレバ−１５との間に設けられた樹脂バネ部１６ｃのばね力が解除バネ２１よりも大きくなくてはならない。そして、解除バネ２１のばね力のばらつきを考慮して、樹脂バネ部１６ｃのばね力を解除バネ２１よりも十分大きくすると、樹脂バネ部１６ｃのばね力が、永久磁石にアーマチュアを確実に吸着固定させるという目的を越えて、不必要に大きくなってしまう難点があった。
【０００７】
このため、鉄芯１７ｃを磁性片１７ｂに吸着させる際に、鉄芯１７ｃに必要以上の力が作用して鉄芯１７ｃが傾いてしまい、かえって、磁性片１７ｂによる吸着力を十分に得られない場合が発生していた。
なお、永久磁石の磁力によるアーマチュアを固定する力（吸引力）は、両者の距離がわずかに大きくなっても吸引力が激減する特徴がある。アーマチュアに対する外力の作用点がアーマチュアの出入り方向の軸線から外れているとアーマチュアは傾きやすい。
【０００８】
特許文献２のイジェクトロック機構（図１０）もオーバーストローク機構を採用している。このイジェクトロック機構では、ディスクトレイ１０を押し込むと、リセットレバー３９が回動して連結板４１を押し、イジェクトレバー３６が左回転する。すると、移動板３５がロックバネ３８に引かれてソレノイドに押し込まれ、同時に本体部側の係止部２がロックレバー３１に掛け止めされロック状態となる。この状態で移動板３５は固定されているが、イジェクトレバ−３６はさらに左回転され、オーバーストロークとなる。
【０００９】
しかし、このオーバーストローク機構は、イジェクトレバー３６を所定の角度だけ空転させることによっているため、オーバーストローク時には移動板３５にロックバネ３８の付勢が作用しているものの、この付勢はロックレバー３１を掛け止め方向へ移動させるためと移動板３５を永久磁石方向へ引き込むためのであって、移動板３５を一応の吸着状態からさらに押圧して永久磁石による吸着をより強固なものにするとの作用が確実ではない。
【００１０】
そこで、本発明は、自己吸着型ソレノイドを掛止め・解除手段とするロック機構であって、アーマチュアを永久磁石へ最適な押圧力で積極的に押し付けて、永久磁石によるアーマチュアの吸着固定を確実に維持し、トレイをロード位置に安定して維持できるロック機構を備えたディスク駆動装置の提供を課題とする。
【００１１】
【課題を解決するための手段】
ディスク駆動装置であって、本体ケースとディスクトレー（トレー）を備え、トレーは、本体ケースに対しロード位置とアンロード位置との間で移動自在とする。
トレーをロード位置にロックし、また、ロックを解除してトレーをアンロード位置へ移動可能とするロック装置を有する。
ロック装置は、掛止め・解除手段として自己吸着型ソレノイドの構造を備え、永久磁石と、この永久磁石の磁力をキャンセルする方向の磁極を発生させるソレノイド、前記永久磁石に吸引されるアーマチュア、このアーマチュアと係合するアーマチュア駆動レバーおよびこのアーマチュア駆動レバーを介して、アーマチュアを前記永久磁石から離す方向に付勢するための付勢手段（ばね）とを有する。
【００１２】
そして、アーマチュア駆動レバーに弾性部材を設け、アーマチュアが磁力により吸着固定されているときに、弾性部材を介してアーマチュアを永久磁石に近づく方向へ押圧した状態とする。
アーマチュアを押圧する弾性部材をアーマチュア駆動レバーに設けるので、オーバーストロークの変位を吸収できることはもちろん、この弾性部材の弾力をばねなど他の弾性部材と格別の関連なしにアーマチュアの安定した吸着固定を維持するためだけに設計することができる。
なお、このとき、アーマチュア駆動レバーは、アーマチュアに対して永久磁石に近づく方向で所定量移動可能な状態としておく。
以上の構成によって、一度の操作でトレーをロード位置に維持できなかったり、ロード位置のトレーが不測に本体から飛び出してくるなどという事故をなくすことができる。
【００１３】
弾性部材は、アーマチュア駆動レバーに配置したリーフばねなどとし、アーマチュアを直接押圧する構造とすることがある。また、リーフばねに変えて、合成樹脂などで成形されていることが多いアーマチュア駆動レバーの一部として合成樹脂によるリーフばね相当部分を一体に成形しても良い。
前記アーマチュア駆動レバーの前記アーマチュアに対する力の作用点を、前記永久磁石による吸着面と平行な前記アーマチュア断面の中央に集中させる構造とすることがある。掛止め・解除操作の際にアーマチュアが移動方向に関して傾くことが少なく、トレーをロード位置に維持し、あるいはアンロード位置へ引き出すをスムーズに行える。
【００１４】
【発明の実施の形態】
図１はディスク駆動装置１であって、本体ケース２にディスクトレー（トレー）３が出し入れ可能に装着されている。トレー３を引き出す方向が“前”、押し込む方向が“後”である。トレー３は本体ケース２に押し込まれた状態がロード位置、引き出された状態がアンロード位置である。トレー３はロック装置４を備え、これで本体ケース２に設けてある掛止めピン５を係合してロード位置に維持される。ロック装置４による掛止めピン５の係合が解除されると、トレー３は本体ケース２との間に設けた押出しばね６によって前方に突き出され、その後手動でアンロード位置まで引き出すことができる。
【００１５】
トレー３は、本体ケース２に対して出し入れされる合成樹脂の主体７、これにねじ止めされるカバー８及び合成樹脂の基体９を備え（図２）、基体９にディスク駆動モータ１０、ヘッドアセンブリ１１及びヘッド移動機構１２が配置固定される。ヘッドアセンブリ１１はガイドバー１３に沿ってディスクの半径方向で移動可能である。
【００１６】
ロック装置４は、基体９の下面側（ディスクがセットされる側と反対側の面）に配置され、セットレバー１４、ロックレバー１５、アーマチュア駆動レバー１６および自己吸着型ソレノイド１７を備える（図３，４）。
セットレバー１４は軸１８で基体９へ回転可能に取付けられ、セット受動突起１９とセット突起２０を備え、引きばね２１で図３の定位置に戻るように常時付勢されている。ロックレバー１５は軸２２で基体９へ回転可能に取付けられ、鈎部２３とリセット受動突起２４を備え、引きばね２５で図３のストッパー２６と衝突する定位置に戻るよう常時付勢されている。
【００１７】
アーマチュア駆動レバー１６は、軸２７で基体９へ回転可能に取付けられ、当接斜面２８、リセット突起２９および係合突起３０を備え、引きばね３１で常時左回転方向に付勢されている。係合突起３０は左回転方向で前面となる側を前方へすぼまる点または線接触部３２に、反対側を平坦な面接触部３３に形成してある。アーマチュア駆動レバー１６はまた係合突起３０と同じ側にリーフばね３４の一端を取付けてある。自己吸着型ソレノイド１７は、ロック装置４の掛止め・解除手段として用いるもので、ソレノイド３５と永久磁石３６、ヨーク３６ａ，３６ａ、およびアーマチュア３７を備え、アーマチュア３７の先端に小判形をした係合孔３８を備えている。
自己吸着型ソレノイド１７は、通常の状態ではソレノイド側が基板９に固定され、また、アーマチュア３７は永久磁石３６の磁力に吸引されてソレノイド３５側と固着状態にある。
【００１８】
図３において、符号５は掛止めピンであり、本体ケース２側に固定してある。矢印は本体ケース２へトレー３を押し込むときに前記の掛止めピン５がトレー３上を直線的に移動する方向を示している。
トレー３がアンロード位置にあるとき、セットレバー１４、ロックレバー１５、アーマチュア駆動レバー１６および自己吸着型ソレノイド１７の配置は、図３に示すように、定位置にあるセットレバー１４のセット受動突起１９とロックレバー１５の鈎部２３が、掛止めピン５の通過経路上にある。
【００１９】
また、自己吸着型ソレノイド１７のアーマチュア３７は先端の係合孔３８をアーマチュア駆動レバー１６の係合突起３０に点または線接触部３２で係合させ、アーマチュア駆動レバー１６は、引きばね３１の付勢で軸２７を中心に左回転して自己吸着型ソレノイド１７のアーマチュア３５を引き出した状態となっている。アーマチュア３７の係合孔３８はアーマチュア駆動レバー１６の係合突起３０よりも十分に大きく、係合孔３８の内部で係合突起３０が自由に回転できると共に、図８のように、係合孔３８と係合突起３０は、点または線接触部３２で係合孔３８の先端側縁の中心（アーマチュア３７の出入り方向の軸線Ｐ上）に当接している。すなわち、係合突起３０は引きばね３１の付勢をアーマチュア断面の中央に集中させて作用させることができる。また、面接触部３３と係合孔３８の後端側縁とは当接可能であり、面接触部３３と係合孔３８の縁との間には間隙が生じるように設計されている。
【００２０】
ディスクをセットしてトレー３を押し込むと、図５のように、掛止めピン５の通過によってセットレバー１４が左回転して、セット突起２０がアーマチュア駆動レバー１６の当接斜面２８に接触してさらに回転するので、アーマチュア駆動レバー１６は引きばね３１に抗して右回転し、係合突起３０の移動に伴ってアーマチュア３７が永久磁石３６に吸引され、アーマチュア３７を永久磁石３６によってヨーク３６ａ，３６ａへ吸着させる。アーマチュア３７は通常永久磁石３６により吸引されているので、係合突起３０によって押圧されないが、アーマチュア３７が吸引方向へ移動するのに何らかの障害が生じたとき、係合突起３０の面接触部３３でアーマチュア３７を前記の吸引方向に押圧することになる。このとき、係合突起３０による押圧個所は面接触なので、アーマチュア３７を傾かせてしまうことが少ない。
【００２１】
アーマチュア３７が永久磁石３６により吸引されてヨーク３６ａ，３６ａに接すると、アーマチュア３７はもはや押し込み方向へ移動することはできないが、アーマチュア駆動レバー１６はセットレバー１４によって、アーマチュア３７の先端に当接させたリーフばねを変形させながら、なお少し右回転する。すなわち、アーマチュア駆動レバー１６にオーバーストロークの回転をさせ、その間の変位を係合突起３０と係合孔３８との間隙で吸収すると共にリーフばね３４の付勢でアーマチュア３７の先端は永久磁石３６のヨーク３６ａ，３６ａと密着する。すなわち、アーマチュア駆動レバー１６は、弾性部材を介してアーマチュア３７を永久磁石３６に近づく方向へ押圧する。
弾性部材による付勢は、アーマチュア３７と永久磁石３６の密着に適切な圧力を生じるように設定されている。
【００２２】
掛止めピン５がセットレバー１４のセット受動突起１９を通過するとき、アーマチュア３７は十分に押し込まれて永久磁石３６による吸着固定状態になる。そして、永久磁石３６による吸着力はアーマチュア駆動レバー１６を左回転方向に常時付勢している引きばね３１の付勢より十分に大きいので、掛止めピン５が通過してセットレバー１４が定位置に戻ってもアーマチュア駆動レバー１６は、その係合突起３０の点または線接触部３２が係合孔３８の先端側縁に係合されて戻ることはない。
【００２３】
トレー３をさらに押し込むと、掛止めピン５は、ロックレバー１５の鈎部２３を押し、これを引きばね２５に抗して右回転させる。このとき、ロックレバー１５のリセット受動部２４はアーマチュア駆動レバー１６のリセット突起２９からは離れる方向に回転する。掛止めピン５が鈎部２３を通過すると、ロックレバー１５は引きばね２５に引かれて左回転し、掛止めピン５を掛け止める（図６）。このとき、トレー３はロード位置にあり、また、リセット受動部２４はリセット突起２９に近接した位置となっている。
【００２４】
トレー３をロード位置からアンロード位置へ移動させるときは、図示していない取り出しボタンを押してソレノイドに通電し、永久磁石３６の磁力を中和する。すると、アーマチュア３７は吸着固定から解放され、引きばね３１の付勢で一挙に引き出される。このとき、アーマチュア駆動レバー１６の係合突起３０は点または線接触部３２でアーマチュア３７の移動方向軸線上を引くので、アーマチュア３７が引き出し時に傾いてこじたりすることがない。また、トレー３がロード位置にあるとき、アーマチュア駆動レバー１６に外部から振動や力が加わっても、点または線接触によりその力は、アーマチュア３７を傾かせる方向に作用せず、不測にアーマチュア３７が解放されてしまう恐れがより少ない。
そして、アーマチュア駆動レバー１６が左回転してリセット突起２９がロックレバー１５のリセット受動部２４を押す。すると、ロックレバー１５が右回転して掛止めピン５が解放され、トレー３をアンロード方向へ移動することができる。
【００２５】
さらに、アーマチュア駆動レバー１６がオーバーストロークするとき、リーフばね３４によりアーマチュア３７を押圧しながら係合突起３０と係合孔３８の後端側縁との間隙を利用してアーマチュア駆動レバー１６が移動できるので、係合突起３０とアーマチュア３７間に無理な力が作用せず、アーマチュア３７の傾きやこじりが発生しない。
以上、実施形態について説明したが、リーフばね３４は他の弾性体でもよい。ただし、アーマチュア３７と係合する最終レバーであるアーマチュア駆動レバー１６に取付けられて、アーマチュア３７を押圧する必要がある。
【００２６】
【発明の効果】
ディスク駆動装置において、トレイをロード位置にロックし、また、ロックを解放してアンロード位置へ移動可能とするためのロック装置の作動が安定する。
アーマチュア駆動レバーをオーバーストロークさせるための構造を、アーマチュアに対する適切な押圧力との関係で設定しやすい。
【図面の簡単な説明】
【図１】トレーをアンロード位置としている概略の平面図（一部を透視している）
【図２】トレー部分を裏面から見た概略平面図
【図３】図２の要部を拡大して示す平面図（アンロード位置  一部を透視している）
【図４】イ〜ニは、図３における各部品の平面図
【図５】ロード位置への移行途中を説明するための平面図
【図６】ロード位置を説明するための平面図
【図７】アンロード位置への移行途中を説明するための平面図
【図８】係合突起個所の永久磁石の吸引方向に沿った断面図
【図９】従来のロック装置（その１）
【図１０】従来のロック装置（その２）
【符号の説明】
１  ディスク駆動装置
２  本体ケース
３  ディスクトレー
４  ロック装置
５  掛止めピン
６  押出しばね
７  主体
８  カバー
９  基体
１０  ディスク駆動モータ
１１  ヘッドアセンブリ
１２  ヘッド移動機構
１３  ガイドバー
１４  セットレバー
１５  ロックレバー
１６  アーマチュア駆動レバー
１７  自己吸着型ソレノイド
１８  軸
１９  セット受動突起
２０  セット突起
２１  引きばね
２２  軸
２３  鈎部
２４  リセット受動部
２５  引きばね
２６  ストッパー
２７  軸
２８  当接斜面
２９  リセット突起
３０  係合突起
３１  引きばね
３２  点または線接触部
３３  面接触部
３４  リーフばね
３５  ソレノイド
３６  永久磁石
３７  アーマチュア
３８  係合孔
【図１】
2004185762.tif 000003
【図２】
2004185762.tif 000004
【図３】
2004185762.tif 000005
【図４】
2004185762.tif 000006
【図５】
2004185762.tif 000007
【図６】
2004185762.tif 000008
【図７】
2004185762.tif 000009
【図８】
2004185762.tif 000010
【図９】
2004185762.tif 000011
【図１０】
2004185762.tif 000012